(57)【要約】【課題】刈払機は、草刈作業者が刈払杆を携帯し把持した状態で刈取作業を行うため、簡易、軽量であることを要する。このため、刈取作業時に雑草成長抑制薬剤を塗布する場合にも、この条件を満たすものであることはもとより、長時間にわたる刈取作業においても刈払操作を行い易い形態とするものである。【解決手段】刈払杆１の基端部にエンジン２を有すると共に、先端部には回転刈刃３を軸装し、中間部に刈取操作のハンドル４を配置した刈払機において、この刈払杆１には、該エンジン２とハンドル４部との間に薬剤タンク５を取付可能に設けると共に、この薬剤タンク５から刈刃３にわたって薬剤を供給案内する供給路６を設けたことを特徴とする薬剤塗布装置の構成とする。【選択図】図１
2007116933.tif 000002
【特許請求の範囲】
【請求項１】
刈払杆（１）の基端部にエンジン（２）を有すると共に、先端部には回転刈刃（３）を軸装し、中間部に刈取操作のハンドル（４）を配置した刈払機において、この刈払杆（１）には、該エンジン（２）とハンドル（４）部との間に薬剤タンク（５）を取付可能に設けると共に、この薬剤タンク（５）から刈刃（３）にわたって薬剤を供給案内する供給路（６）を設けたことを特徴とする薬剤塗布装置。
【請求項２】
前記刈刃（３）の下側面に沿って薬剤を供給可能に設けたことを特徴とする刈払機の薬剤塗布装置。
【発明の詳細な説明】
【技術分野】
【０００１】
この発明は、刈払機の薬剤（液）塗布装置に関し、草刈時に刈刃部に薬剤を供給して、刈取草の切り口部に薬剤を塗布する。
【背景技術】
【０００２】
薬剤を塗布したナイロンコード形態の刈刃を回転させて、草刈取時にこのナイロンコードに付着している薬剤を草の切り口端面に塗布する技術（例えば、特許文献１参照）が知られている。
【特許文献１】特開平１０−１０８５２３号公報（第２項、図２）
【発明の開示】
【発明が解決しようとする課題】
【０００３】
刈払機は、草刈作業者が刈払杆を携帯し把持した状態で刈取作業を行うため、簡易、軽量であることを要する。このため、刈取作業時に雑草生長抑制薬剤を塗布する場合にも、この条件を満たすものであることはもとより、長時間にわたる刈取作業においても刈払操作を行い易い形態とするものである。
【課題を解決するための手段】
【０００４】
請求項１に記載の発明は、刈払杆１の基端部にエンジン２を有すると共に、先端部には回転刈刃３を軸装し、中間部に刈取操作のハンドル４を配置した刈払機において、この刈払杆１には、該エンジン２とハンドル４部との間に薬剤タンク５を取付可能に設けると共に、この薬剤タンク５から刈刃３にわたって薬剤を供給案内する供給路６を設けたことを特徴とする薬剤塗布装置の構成とする。刈取作業者は、刈払杆１を携帯すると共にハンドル４を把持して、先端部の刈刃３を左右へ揺動しながら刈払う。この刈払杆１に取付けられたタンク５から薬剤（液）が供給路６を経て刈刃３部に流出供給される。この刈刃３部に供給される薬剤はこの刈刃３の回転によって刈取られた刈取跡の草の刈取り切り口面に塗布される。薬剤タンク５は該刈払杆１のエンジン２とハンドル４との間に取付けられて、薬剤量の増減りに拘らず刈払機の前後重量の平衡性を維持する。
請求項２に記載の発明は、前記刈刃３の下面に沿って薬剤を供給可能に設けたことを特徴とする刈払機の薬剤塗布装置である。該タンク５から刈払杆１に沿う供給路６を介して供給される薬剤を、刈刃３の下面に供給されて、この刈刃３で刈取られる雑草の切り口端面に直接塗布する。このため薬剤の塗布効果を高めることができ、塗布薬剤量を少なくすることができ、タンク５容量を小さくして、携帯重量を軽くすることができる。
【発明の効果】
【０００５】
請求項１に記載の発明は、刈払機全体としての前後重量バランスを維持させて、刈払杆１に対するタンク５を取付けることができ、刈払作業を長時間にわたり容易に楽に行うことができる。又、タンク５に収容する薬剤量の増減に拘らずハンドル４による操作を同様に維持させることができ、既存の刈払機にもタンク５や供給路６等を簡単に取付けて薬剤塗布作業を行うことができ、簡易に使用できる。
請求項２に記載の発明は、刈刃３の回転によって刈取切断される雑草の切り口端面に、この刈刃３の下側面に供給された薬剤を直接塗布するため、薬剤塗布効果を有効にすることができ、薬剤塗布量、及び供給量を少なくして、薬剤タンク５の容量を小さくして機体の軽量化を図ることができる。
【発明を実施するための最良の形態】
【０００６】
図面に示す刈払機は、円筒形態の長い刈払杆１の両端部に、エンジン２と、これによって駆動される円盤形態の刈刃３を配置し、これらの間の中央部に操作ハンドル４を設けている。又、このハンドル４よりもエンジン２寄りの側に肩掛用ベルト７を取付けるフック８を設けている。
ここにおいて、この発明に係る薬剤塗布装置は、刈払杆１の基端部にエンジン２を有すると共に、先端部には回転刈刃３を軸装し、中間部に刈取操作のハンドル４を配置した刈払機において、この刈払杆１には、該エンジン２とハンドル４部との間に薬剤タンク５を取付可能に設けると共に、この薬剤タンク５から刈刃３にわたって薬剤を供給案内する薬剤路６を設けたことを特徴とする薬剤塗布装置の構成とする。
前記刈刃３の下側面に沿って薬剤を供給可能に設けたことを特徴とする刈払機の薬剤塗布装置である。該タンク５から刈払杆１に沿う供給路６を介して供給される薬剤を、刈刃３の下側面に供給されて、この刈刃３で刈取られる雑草の切り口端面に直接塗布する。
【０００７】
前記刈払杆１は、円筒状形態で、内部にエンジン２から刈刃３を回転伝動する伝動軸９が軸装される。刈払杆１のエンジン２側の基端部にはクラッチハウジング１０を有し、先端側には伝動軸９から刈刃軸１１を伝動するためのギヤ２０を内装のギヤケース１２を有する。この刈払杆１の中間部には左右一対のハンドル４が二又状に設けられて、左右両手で把持することによって刈払操作を行うことができる。この刈払機をベルト７等によって肩掛して吊下形態とするときは、このフック８を刈払機全体の略吊下重心位置近くに設けている。このフック８の取付位置はハンドル４の取付位置よりも若干エンジン２寄りの位置に設定される。
【０００８】
薬剤液を収容する薬剤タンク５は合成樹脂製等により軽量で、かつ刈払杆１に沿うように細長い形態に形成すると好適である。このタンク５を該ハンガフック８とエンジン２側のクラッチハウジング１０との間の刈払杆１の下側に沿って取付ける。この取付けはできるだけ軽量化構成にするように構成する。刈払杆１にタンク５を重合させて、マジックファスナ形態の取付バンド３４を巻き付けて取付ける。取付バンド３４の両端部にマジックファスナ３５を形成している。タンク５の上面に沿って凹字状断面の受座部２９を形成して、安定した重合状態を維持する形態としている。又、このタンク５の横側面は作業者の腰当部に当接し易いように窪み面３６を形成することもできる。１６はタンク５の後上部に設けた給剤口のキャップ、１７は供給口１８を開閉するコックである（図２）。又、このタンク５取付けの別例として、刈払杆１の前後にフック３７を設けて、これにタンク５側のフック１３を係合して着脱自在に装着する（図３）。又、タンク５の形状を刈払杆１の外周を取り囲む凹字形状断面形態に受座部２９を形成して、刈払杆１周りにわたって掛け渡すように掛止具１４を設けて、凹字状杆受座２９の左右両側部のタンク上部１５相互間を連結するようにして取付ける形態とすることもできる（図４）。
【０００９】
更には、合成樹脂製のタンク５の上部に開閉回動自在の円弧状樋形態の止蓋３０を成形して、このタンク５の受座部２９部を刈払杆１の下側に沿わせて重合させて、上側から止蓋３０で囲うようにして閉鎖し、この止蓋３０の係合縁３１をタンク５上に一体成形の係合突子３２に係合させることによって、刈払杆１に対するタンク５の着脱を行わせる形態としている。止蓋３０のヒンジ部３３は、タンク５自体の樹脂材質に基づく屈折自在性によるもので、この止蓋３０の湾曲弾性によって係合突子３２に対する係合状態を維持させる（図５）。このようにして、刈払杆１に沿って取付けられるタンク５には供給口１８を開閉するキャップ１６を有し、薬剤の供給するための開閉コック１７等を有する。この供給口１８には供給路６としてのホースを連結して先端側の刈刃３側へ薬剤を流下供給させることができる。この供給路６はゴムホース等の比較的柔軟な材質からなり、挟持器１９によって、この供給路６を挟持することにより、この供給薬剤量を調節可能にしている。
【００１０】
前記供給路６の先端部は、ギヤケース１２部に連結して、このギヤケース１２部に一体的に支持されるノズル２１部から円盤形態の刈刃３の上側面に供給する構成とする。又、この薬剤と刈刃３の下面に供給する形態とすることもできる。この形態では、図６のように、刈刃３の下面中央部に薬剤を刈刃３下面全周に拡散供給する薬剤案内室２２を構成し、前記供給路６から刈刃軸１１の中心部に沿って形成の案内路２３を経て薬剤供給を受ける。ギヤケース１２には上下方向に沿う刈刃軸１１が軸装されて、刈払杆１の伝動軸９の下端部からベベルギヤ２０を介して伝動回転されるが、この刈刃軸１１の中心部に沿って案内路２３が形成されて、上端部の連結パイプ２４には供給路６を嵌合連結させる。該回転する刈刃軸１１に対して、この連結パイプ２４はギヤケース１２上端に一体のケースカバー２５に取付固定している。刈刃軸１１の下部には円盤鋸歯状の刈刃３の中心部が固定されて一体回転する。この刈刃３の下面中央部には円盤皿状の支持盤２６が一体的に取付けられて、これら刈刃３と支持盤２６との間に薄層の案内室２２を形成する。この案内室２２の外周部に適宜間隔に薬剤浸出口２７を形成し、この案内室２２内に供給された薬剤を回転による遠心力作用によって外方へ流出、乃至浸出させる。前記刈刃軸１１の案内路２３の下端部はこの案内室２２の中央部に連通して薬剤を流入させる。この支持盤２６の下側には草刈取面に摺接する滑走板２８を回転自在に設けている。前記案内室２２内にはスポンジ材等を充填して薬剤の吸収保持性や、安定した流動性を維持させることもできる。
【００１１】
エンジン２を駆動させて、伝動軸９等を経て刈刃軸１１、及び刈刃３を回転する。作業者はベルト７を肩掛けして刈払機を携帯し、ハンドル４を把持して刈取作業を行う。この作業姿勢では、刈払杆１のタンク５部が作業者の腰横部に位置するため、刈払杆１を刈払作業時に左右へ揺動させても、このタンク５部の前後方向の移動は殆んどなく、機体の重心位置を一定位置に維持し、安定した携帯状態とすることができる。コック１３を開いて薬剤を塗布するときは、薬剤がホース供給路６を経て刈刃３の回転部の塗布具２１に流出供給され、この塗布具２１から刈刃３の下側面（裏側面）に供給されて（図１）、刈刃３で切断された雑草の切り口部に塗布される。この刈刃３の裏面に薬剤を該塗布具２１から供給する形態では、刈刃３の回転遠心作用によって外方へ拡散されて、刈取跡の雑草の切り口部等に塗布されることとなる。又、この薬剤を該案内室２２から刈刃３の下面に浸出させる形態（図６）でも、前記供給路６から連結パイプ２４、案内路２３、及び案内室２２等を経て、この浸出口２７から刈刃３の下側面に沿って流出され付着される。このとき、刈刃３と共に案内室２２の回転による遠心力によって、この案内室２２内の薬剤が浸出口２７へ流出されると共に、後続の案内路２３や供給路６内の薬剤を吸引するように流出させることができる。このため刈刃３下面への浸出量を安定させることができ、浸出を間断なく連続に円滑に行わせることができる。又、この薬剤塗布作用においても、刈刃３によって刈取切断される雑草の切り口端面部に直接塗着するようにして塗布するため、薬剤塗布時の薬剤損失を少なくして、塗布効率を高めることができ、薬剤の使用量を少なくすることができる。
【図面の簡単な説明】
【００１２】
【図１】刈払機の斜視図と、一部の拡大斜視図。
【図２】そのタンク部の取付例を示す斜視図。
【図３】その別例を示す斜視図。
【図４】その別例を示す斜視図。
【図５】その別例を示す斜視図。
【図６】刈刃部の別例を示す側面図。
【符号の説明】
【００１３】
１    刈払杆
２    エンジン
３    刈刃
４    ハンドル
５    タンク
【図１】
2007116933.tif 000003
【図２】
2007116933.tif 000004
【図３】
2007116933.tif 000005
【図４】
2007116933.tif 000006
【図５】
2007116933.tif 000007
【図６】
2007116933.tif 000008